【手続補正書】
【提出日】平成17年3月16日(2005.3.16)
【手続補正１】
【補正対象書類名】明細書
【補正対象項目名】００１０
【補正方法】変更
【補正の内容】
【００１０】
アダプタリング１８は、図３、図４に示すように、鏡胴１４の外径よりも大きな寸法の内径を有する円筒壁状に形成されている。
アダプタリング１８の後端には、アダプタリング取付部１６の第１の雌ねじ１６０４に螺合する第１の雄ねじ１８０２（後端取付部）が形成され、第１の雄ねじ１８０２を第１の雌ねじ１６０４に螺合することでアダプタリング１８の後端がアダプタリング取付部１６に着脱可能に取着される。
アダプタリング１８の前端には、第１の雄ねじ１８０２の外径よりも大きな内径の第２の雌ねじ１８０４が形成されている。この第２の雌ねじ１８０４は、光学部材としてのワイドコンバージョンレンズ３０の雄ねじ３００２に螺合するように形成され、第２の雌ねじ１８０４を雄ねじ３００２に螺合することでアダプタリング１８の前端がコンバージョンレンズ３０に着脱可能に取着される。本実施の形態では第２の雌ねじ１８０４によって光学部材取付部が構成されている。また、本実施の形態では、第１の雌ねじ１６０４および第１の雄ねじ１８０２は二条ねじで構成され、第２の雌ねじ１８０４は一条ねじで構成されている。
アダプタリング１８は、その後端がアダプタリング取付部１６に取り付けられた状態で、アダプタリング１８の前端が鏡胴１４の突出位置Ｐ１よりも後方箇所に位置するように構成されている。
また、本実施の形態では、アダプタリング１８は、その後端がアダプタリング取付部１６に取り付けられた状態で、アダプタリング１８の前端が鏡胴１４の中間位置Ｐ２よりも前方箇所に位置するように構成されている。
また、本実施の形態では、アダプタリング１８は、該アダプタリング１８の後端がアダプタリング取付部１６に取り付けられ、かつ、撮影光学系１５のズーム率が最も広角側に設定された状態で該撮影光学系１５にけられが生じないように構成され、アダプタリング１８の前端の第２の雌ねじ１８０４の内径も前記けられが生じない値に設定されている。
【手続補正２】
【補正対象書類名】明細書
【補正対象項目名】００１２
【補正方法】変更
【補正の内容】
【００１２】
検出手段２０は、アダプタリング取付部１６にアダプタリング１８が取り付けられたことを検出するもので、図４に示すように、アダプタリング取付部材１６の段部１６０６に配設された可動ピン２００２と、この可動ピン２００２の動きを検出する検出スイッチ２００４とを有している。
可動ピン２００２は、図４に示すように、段部１６０６に出没可能に設けられており、その前端が段部１６０６から前方に突出した状態となるように常時付勢されている。
検出スイッチ２００４は、図４に示すように、アダプタリング取付部１６にアダプタリング１８が取着されることにより、該アダプタリング１８の後端部分１８０６によって可動ピン２００２が押圧され、可動ピン２００２突出した状態から没入された状態に動かされると、この動きを検出しオン・オフ信号からなる検出信号を鏡胴制御手段２２に出力するように構成されている。
【手続補正３】
【補正対象書類名】明細書
【補正対象項目名】００１７
【補正方法】変更
【補正の内容】
【００１７】
また、本実施の形態では、アダプタリング取付部１６の第１の雌ねじ１６０４およびアダプタリング１８の第１の雄ねじ１８０２が二条ねじで構成され、アダプタリング１８の第２の雌ねじ１８０４が一条ねじで構成されている。したがって、ワイドコンバータレンズ３０の雄ねじ３００２の外径と、アダプタリング取付部１６の第１の雌ねじ１６０４の内径が例え一致していたとしても、ワイドコンバータレンズ３０の雄ねじ３００２が一条ねじであり、第１の雌ねじ１６０４が二条ねじであるため、雄ねじ３００２を第１の雌ねじ１６０４に螺合することを確実に防止することができる。このため、ワイドコンバージョンレンズ３０を誤って直接アダプタリング取付部１６に取着してしまい、鏡胴１４の前端がワイドコンバージョンレンズ３０のレンズ３００６にぶつかってしまうといった不都合を確実に防止する上で有利となる。
また、前記二条ねじのピッチを例えば０．４とし、前記一条ねじのピッチを例えば０．７５とし、二条ねじのピッチを一条ねじのピッチの２／３以下に設定すると、二条ねじのピッチが一条ねじのピッチと大きく異なるため、二条ねじに一条ねじを螺合することがより困難となり、雄ねじ３００２を第１の雌ねじ１６０４に螺合することを確実に防止する上でより有利となる。
また、アダプタリング１８の第２の雌ねじ１８０４のモジュールを例えばＭ４６とし、アダプタリング取付部１６の第１の雌ねじ１６０４のモジュールを例えばＭ４５．５とし、両者が異なる値となるように設定すれば、雄ねじ３００２を第１の雌ねじ１６０４に螺合することを確実に防止する上でより有利となる。
また、アダプタリング１８の第２の雌ねじ１８０４の外径を一般的なフィルターやコンバージョンレンズのねじの外径と一致した寸法に設定するとともに、アダプタリング取付部１６の第１の雌ねじ１６０４の外径を前記寸法とは異なる寸法に設定すれば、雄ねじ３００２を第１の雌ねじ１６０４に螺合することを確実に防止する上でより有利となる。
【手続補正４】
【補正対象書類名】明細書
【補正対象項目名】００１８
【補正方法】変更
【補正の内容】
【００１８】
また、アダプタリング取付部１６にアダプタリング１８が取り付けられ、かつ、アダプタリング１８に光学部材を取り付けない状態で使用したとしても、鏡胴１４の前端がアダプタリング１８の前端よりも後方に位置しているので、アダプタリング１８によって鏡胴１４の前端が保護され、物などが鏡胴１４の前端にぶつかって鏡胴１４や鏡胴駆動機構２４が破損することを防止する上で有利となる。
なお、本実施の形態では、アダプタリング取付部１６にアダプタリング１８が取り付けられた状態で、鏡胴１４の位置が中間位置Ｐ２に固定され、ズーム動作を禁止したが、鏡胴制御手段２２による鏡胴１４の突出量の制御は、鏡胴１４の前端がアダプタリング１８の前端よりも後方に位置する範囲内で行なわれればよく、前記範囲内で鏡胴１４が移動されることによりズーム動作がなされてもかまわない。
【手続補正５】
【補正対象書類名】明細書
【補正対象項目名】００１９
【補正方法】変更
【補正の内容】
【００１９】
次に、第２の実施の形態について説明する。
図６はアダプタリングとテレコンバージョンレンズの断面図である。
第２の実施の形態では、図６に示すように、コンバージョンレンズとしてのテレコンバージョンレンズ３２と、該テレコンバージョンレンズ３２用のアダプタリング１９とをデジタルスチルカメラ１０に取着している。
アダプタリング１９は、鏡胴１４の外径よりも大きな寸法の内径を有する円筒壁状に形成されている。
アダプタリング１９の後端には、アダプタリング取付部１６の第１の雌ねじ１６０４に螺合する第１の雄ねじ１９０２が形成され、第１の雄ねじ１９０２を第１の雌ねじ１６０４に螺合することでアダプタリング１９の後端がアダプタリング取付部１６に着脱可能に取着される。
アダプタリング１９は、その後端がアダプタリング取付部１６に取り付けられた状態で、アダプタリング１９の前端が鏡胴１４の突出位置Ｐ１よりも前方箇所に位置するように構成されている。
また、アダプタリング１９は、アダプタリング取付部１６に取着されても、アダプタリング１９の後端部分１９０６が可動ピン２００２に当接しないように形成されている。
したがって、アダプタリング取付部１６にアダプタリング１９が取着されても、検出スイッチ２００４はアダプタリングが取着されたことを示す検出信号を鏡胴制御手段２２に供給しない。
【手続補正６】
【補正対象書類名】明細書
【補正対象項目名】００２１
【補正方法】変更
【補正の内容】
【００２１】
次に、デジタルスチルカメラ１０にアダプタリング１９およびテレコンバージョンレンズ３２を取り付けて使用する場合について説明する。
まず、図６に示すように、アダプタリング１９の第２の雌ねじ１９０４にテレコンバージョンレンズ３２の雄ねじ３２０２を螺合してアダプタリング１９の前端にテレコンバージョンレンズ３２を取着する。
次に、デジタルスチルカメラ１０の前記電源スイッチをオフして鏡胴１４が収容位置Ｐ０に位置された状態で、アダプタリング１９の第１の雄ねじ１９０２をアダプタリング取付部１６の第１の雌ねじ１６０４に螺合する。これにより、テレコンバージョンレンズ３２およびアダプタリング１９はアダプタリング取付部１６に取着される。
この際、第１の雄ねじ１９０２が第１の雌ねじ１６０４に螺合されても、アダプタリング１９の後端部分１９０６が可動ピン２００２の前端に当接しない。
ここで、前記電源スイッチがオンされると、検出スイッチ２００４からは、アダプタリングが取着されていることを示す検出信号が鏡胴制御手段２２に供給されない。したがって、鏡胴制御手段２２は、デジタルスチルカメラ１０を単体で使用している場合と同様に、中間位置Ｐ２および突出位置Ｐ１の間で鏡胴１４を移動させるズーム動作を行なう。
この際、アダプタリング取付部１６にアダプタリング１９が取り付けられた状態で、鏡胴１４の前端が突出位置Ｐ１に移動しても、アダプタリング１９の前端が鏡胴１４の突出位置Ｐ１よりも前方箇所に位置しているので、鏡胴１４の前端がテレコンバージョンレンズ３２のレンズ３２０６に当たることがない。
これにより、撮影光学系１５のズーム率がテレコンバージョンレンズ３２の光学系の作用によりさらに望遠側に変換される。
ユーザーがファインダ窓１２１０あるいはディスプレイ１２０８を視認しつつ、シャッタスイッチ１２０４を押下することによって撮影がなされる。
【手続補正７】
【補正対象書類名】明細書
【補正対象項目名】００２２
【補正方法】変更
【補正の内容】
【００２２】
このように構成された撮像装置１０によれば、アダプタリング取付部１６にアダプタリング１９が取り付けられた状態で、鏡胴１４の前端が突出位置Ｐ１に移動しても、アダプタリング１９の前端が鏡胴１４の突出位置Ｐ１よりも前方箇所に位置しているので、鏡胴１４の前端がテレコンバージョンレンズ３２のレンズ３２０６にぶつかることがない。
したがって、鏡胴１４がテレコンバージョンレンズ３２に当たることを確実に防止することができる。
また、本実施の形態においても、テレコンバータレンズ３２の雄ねじ３２０２、第１の雌ねじ１６０４の２つのねじをそれぞれ一条ねじ、二条ねじとすること、あるいは、前記２つのねじのピッチを異ならせること、あるいは、前記２つのねじのモジュールを異ならせること、あるいは、前記２つのねじの径を異ならせることによって第１の実施の形態と同様に、テレコンバージョンレンズ３２を誤って直接アダプタリング取付部１６に取着してしまい、鏡胴１４の前端がテレコンバージョンレンズ３２のレンズ３２０６にぶつかってしまう不都合を確実に防止することができる。
【手続補正８】
【補正対象書類名】図面
【補正対象項目名】図２
【補正方法】変更
【補正の内容】
【図２】
2004333778.tif 000001
【手続補正９】
【補正対象書類名】図面
【補正対象項目名】図４
【補正方法】変更
【補正の内容】
【図４】
2004333778.tif 000002
【手続補正１０】
【補正対象書類名】図面
【補正対象項目名】図６
【補正方法】変更
【補正の内容】
【図６】
2004333778.tif 000003